(57)【要約】【課題】少なくとも１種類以上の入力映像信号を１画面に同時に表示する画面表示制御装置において、１画面の中に動きのほとんどないシーンがあるにもかかわらず画面全体としては表示状態の変化は大きいと判断され、本来行うべき焼き付き防止の制御が適切に行なえなくなることがある。【解決手段】１画面における各映像表示位置の表示状態変化を検出する表示状態検出手段１０６と、各映像表示位置を移動させる映像表示位置制御手段１０８とを備え、表示状態検出手段１０６において検出した表示状態変化のうち、１画面上の少なくとも１つの映像表示位置の表示状態変化量が、所定の時間、所定の閾値以下となったとき、前記映像表示位置制御手段１０８により、各映像表示位置を移動させ、視聴状況の変化を極力抑えながら、適切な焼き付き防止の処理を行う。【選択図】　　　図１
2004126378.tif 000002
【特許請求の範囲】
【請求項１】
少なくとも２種類以上の入力映像信号を一画面上に同時に表示させる画面表示制御装置において、
上記一画面上の各表示位置の映像信号の表示状態変化を検出する表示状態検出手段と、
前記表示状態検出手段により検出した各表示位置の映像信号の表示状態変化のうち、少なくとも１つの映像信号の表示状態変化量が、所定の時間、所定の閾値以下となったとき、当該表示装置の映像信号を含む２以上の各表示位置の表示映像を移動させて表示させる映像表示位置制御手段とを備えた、
ことを特徴とする画面表示制御装置。
【請求項２】
請求項１記載の画面表示制御装置において、
前記表示状態検出手段は、
前記入力映像信号をデジタル化し、所定周期毎に１枚の画像データを作成する画像生成手段を備え、
前記各１枚の画像データの輝度値の総和の変化量が所定の閾値を超えているか否かによって、上記各表示位置の映像信号の表示状態変化を検出する輝度状態変化検出手段を備えた、
ことを特徴とする画面表示制御装置。
【請求項３】
請求項１記載の画面表示制御装置において、
前記表示状態検出手段は、
前記入力映像信号をデジタル化した後、圧縮処理をして所定周期毎に１枚の画像データを作成する圧縮画像生成手段を備え、
前記各１枚の画像データのデータサイズの変化量が所定の閾値を超えているか否かによって、上記各表示位置の映像信号の表示状態変化を検出する圧縮画像データ変化量検出手段を備えた、
ことを特徴とする画面表示制御装置。
【請求項４】
請求項３記載の画面表示制御装置において、
前記圧縮処理は、ＪＰＥＧ（Ｊｏｉｎｔ　Ｐｈｏｔｏｇｒａｐｈｉｃ　Ｅｘｐｅｒｔｓ　Ｇｒｏｕｐ）規格に基づいた処理である、
ことを特徴とする画面表示制御装置。
【請求項５】
請求項１記載の画面表示制御装置において、
前記表示状態検出手段は、検出した上記一画面上の各映像表示位置の表示状態変化の情報を保持する保持手段を備え、
前記映像表示位置制御手段は、前記各映像表示位置の表示映像を移動させて表示させる際、表示状態変化の少ない表示位置に、表示状態変化の大きい映像を表示するように移動させる、
ことを特徴とする画面表示制御装置。
【請求項６】
請求項１記載の画面表示制御装置において、
前記映像表示位置制御手段は、前記各映像表示位置の表示映像を、移動，表示させた後、一定期間経過後に、前記各映像表示位置の表示映像を、以前の表示位置に再度移動，表示させる、
ことを特徴とする画面表示制御装置。
【請求項７】
少なくとも２種類以上の入力映像信号を一画面上に同時に表示させる画面表示制御装置において、
上記一画面上の各表示位置の映像信号の表示状態変化を検出する表示状態検出手段と、
前記表示状態検出手段により検出した各映像信号の表示状態変化のうち、少なくとも１つの映像信号の表示状態変化量が、所定の時間、所定の閾値以下となったとき、表示状態変化量が閾値以上である映像信号のみを表示する表示、に切替える表示制御手段とを備える、
ことを特徴とする画面表示制御装置。
【請求項８】
請求項７記載の画面表示制御装置において、
前記表示状態検出手段は、検出した上記位置画面上の各映像表示位置の表示状態変化の情報を保持する保持手段を備え、
前記表示制御手段は、表示状態変化量が閾値以上で、かつ最も変化量が大きい映像信号のみを一画面全面に表示する、
ことを特徴とする画面表示制御装置。
【請求項９】
請求項７記載の画面表示制御装置において、
表示すべき映像を指定する操作手段を備え、
あらかじめ前記操作手段を介して使用者により指定された映像信号のみを、一画面全面に表示する、
ことを特徴とする画面表示制御装置。
【請求項１０】
請求項７記載の画面表示制御装置において、
前記表示状態検出手段は、検出した上記一画面上の各映像表示位置の表示状態変化の情報を保持する保持手段を備え、
前記表示制御手段は、表示状態変化量が閾値以上で、かつ最も変化量が大きい映像信号を、その他の映像信号よりも大きな画像サイズで表示する、
ことを特徴とする画面表示制御装置。
【請求項１１】
請求項７記載の画面表示制御装置において、
前記表示制御手段は、前記各映像表示位置の表示領域アスペクト比と、入力映像信号のアスペクト比が異なる場合、前記表示領域内に表示する映像を、スクロール表示しながら表示する、
ことを特徴とする画面表示制御装置。
【請求項１２】
請求項７記載の画面表示制御装置において、
前記表示制御手段は、映像表示状態を切替えた後、一定期間経過後に、映像表示状態を以前の表示状態に再度切替える、
ことを特徴とする画面表示制御装置。
【請求項１３】
少なくとも２種類以上の入力映像信号を一画面上に同時に表示させる画面表示制御装置において、
上記一画面上の各表示位置の映像信号の表示状態変化を検出する表示状態検出手段と、
前記１画面上の各映像表示位置の表示映像を移動させて表示させる映像表示位置制御手段と、
表示状態変化量が閾値以上である映像信号のみを表示する表示、に切替える表示制御手段とを備え、
前記表示状態検出手段により検出した各映像信号の表示状態変化のうち、少なくとも１つの映像信号の表示状態変化量が、所定の時間、所定の閾値以下となったとき、表示状態検出手段により検出した各映像信号の表示状態変化量が、所定の時間、所定の閾値以下となった映像信号が、１画面に同時に表示する映像信号のうち半数より少ない場合、前記映像表示位置制御手段を用いて、映像表示位置の移動を行い、１画面に同時に表示する映像信号のうち半数以上の場合、前記表示制御手段を用いて、映像信号の表示切替えを行う、
ことを特徴とする画像表示制御装置。
【請求項１４】
請求項１３記載の画面表示制御装置において、
前記表示制御手段は、映像表示状態を、表示状態変化量が閾値以上である映像信号のみを表示する表示に切替えた後、一定期間経過後に、映像表示状態を、以前の表示状態に再度切替え、
前記映像表示位置制御手段は、各映像表示位置の表示映像を移動させて表示させた後、一定期間経過後に、各映像表示位置の表示映像を以前の表示位置に再度移動させて表示させる、
ことを特徴とする画面表示制御装置。
【請求項１５】
少なくとも２種類以上の入力映像信号を一画面上に同時に表示させる画面表示制御装置において、
前記各入力映像信号毎に、
上記一画面上の各表示位置の映像信号の表示状態変化を検出する表示状態検出手段と、
前記各入力映像信号を出力する撮像部のズーム制御を行うズーム制御手段と、を備え、
前記表示状態検出手段により検出した各映像信号の表示状態変化のうち、少なくとも１つの映像信号の表示状態変化量が、所定の時間、所定の閾値以下となったとき、当該入力映像信号に対応する前記ズーム制御手段により、該対応する撮像部における撮像画面のズームイン、ズームアウト制御を行なう、
ことを特徴とする画面表示制御装置。
【請求項１６】
少なくとも２種類以上の入力映像信号を一画面上に同時に表示させる画面表示制御装置において、
前記各入力映像信号毎に、
上記一画面上の各表示位置の映像信号の表示状態変化を検出する表示状態検出手段と、
前記各入力映像信号を出力する撮像部の撮像方向の縦軸方向、及び横軸方向の移動制御を行う撮像方向制御手段と、
を備え、
前記表示状態検出手段により検出した各映像信号の表示状態変化のうち、少なくとも１つの映像信号の表示状態変化量が、所定の時間、所定の閾値以下となったとき、当該入力映像信号に対応する撮像部における撮像方向の縦軸方向、及び横軸方向の移動制御を行なう、
ことを特徴とする画面表示制御装置。
【請求項１７】
少なくとも２種類以上の入力映像信号を一画面上に同時に表示させる画面表示制御装置において、
上記一画面上の各表示位置の映像信号の表示状態変化を検出する表示状態検出手段と、
画像データをランダムアクセス可能な記録媒体に記録する記録手段と、
前記ランダムアクセス可能な記録媒体に記録されている前記画像データを読み出して再生する再生手段と、を備え、
前記表示状態検出手段により検出した各映像信号の表示状態変化のうち、少なくとも１つの映像信号の表示状態変化量が、所定の時間、所定の閾値以下となったとき、前記再生手段により、前記ランダムアクセス可能な記録媒体内の所定の時間、所定の閾値以下となった映像表示位置に、前記画像データを読み出して再生表示する、
ことを特徴とする画面表示制御装置。
【請求項１８】
少なくとも２種類以上の入力映像信号を一画面上に同時に表示させる画面表示制御装置において、
上記一画面上の各表示位置の映像信号の表示状態変化を検出する表示状態検出手段と、
前記入力映像信号をデジタル化し、所定周期毎に１枚の画像データを作成する画像生成手段と、
前記画像データを、前記入力映像信号毎にランダムアクセス可能な記録媒体に記録する記録手段と、
前記ランダムアクセス可能な記録媒体に記録されている前記画像データを、読み出して再生する再生手段と、を備え、
前記表示状態検出手段により検出した各映像信号の表示状態変化のうち、少なくとも１つの映像信号の表示状態変化量が、所定の時間、所定の閾値以下となったとき、前記再生手段により、前記ランダムアクセス可能な記録媒体内の、当該入力映像信号に対応する前記画像データを、読み出して高速再生し、当該映像表示位置に表示する、
ことを特徴とする画面表示制御装置。
【請求項１９】
少なくとも２種類以上の入力映像信号を一画面上に同時に表示させる画面表示制御装置において、
上記一画面上の各表示位置の、映像信号の表示状態変化を検出する表示状態検出手段と、
上記一画面上の各映像表示位置のうちの、各指定表示領域の表示状態を制御する指定表示領域制御手段と、を備え、
前記表示状態検出手段により検出した各映像表示位置の表示状態変化のうちの、少なくとも１つの映像信号の表示状態変化量が、所定の時間、所定の閾値以下となったとき、前記表示領域制御手段により、当該映像信号の表示状態を変化させる、
ことを特徴とする画面表示制御装置。
【請求項２０】
請求項１９記載の画面表示制御装置において、
前記指定表示領域制御手段は、当該指定表示領域の表示する輝度値を、変化させる、
ことを特徴とする画面表示制御装置。
【請求項２１】
請求項１９記載の画面表示制御装置において、
前記指定表示領域制御手段は、当該指定表示領域の表示を、停止させる、
ことを特徴とする画面表示制御装置。
【請求項２２】
請求項１９記載の画面表示制御装置において、
前記指定表示領域制御手段は、当該指定表示領域の表示状態を変化させた後、一定期間経過後に、以前の表示状態に再度戻す、
ことを特徴とする画面表示制御装置。
【発明の詳細な説明】
【０００１】
【発明の属する技術分野】
本発明は、複数の入力映像信号を１画面に表示する画面表示制御装置に関し、特に監視システムにおける画面表示制御装置の画面焼き付き防止制御に関するものである。
【０００２】
【従来の技術】
従来の画面の焼き付き防止制御を行う装置は、画像信号を表示する表示部の表示状態の変化を検出する状態検出部と、状態検出部出力が表示状態変化無しを継続して示している時間を計測し、計測結果が所定値を超えたか否かを検出する手段とを備え、所定値を超えたと検出したときに表示部の最大輝度レベルを低減させることで、画面の焼き付きを防止している（例えば特許文献１参照）。
【０００３】
【特許文献１】
特開平７−５８６１号公報（第１頁、図１）
【０００４】
【発明が解決しようとする課題】
しかしながら、複数の入力映像信号を１画面に表示する場合においては、入力される映像信号の中に、動きの激しいシーンの映像や、動きのほとんどないシーンの映像が混在している場合、１画面の中に動きの激しいシーンの映像があるにもかかわらず画面全体としては表示状態の変化はほとんどないと判断され、本来表示すべき状態であるにもかかわらず、表示輝度の低減が行われて適切な表示が行えない状況に陥ったり、１画面の中に動きのほとんどないシーンがあるにもかかわらず画面全体としては表示状態の変化は大きいと判断され、本来行うべき焼き付き防止の制御が適切に行えない、状況に陥るといった問題があった。
この発明は、上記のような従来の問題点に鑑みてなされたもので、複数の入力映像信号を１画面に表示する場合においても、視聴状態を妨げることなく、適切な焼き付き防止の処理を行うことのできる画面表示制御装置を実現することを目的とする。
【０００５】
【課題を解決するための手段】
上記課題を解決するために、本発明（請求項１）にかかる画面表示制御装置は、少なくとも２種類以上の入力映像信号を一画面上に同時に表示させる画面表示制御装置において、上記一画面上の各表示位置の映像信号の表示状態変化を検出する表示状態検出手段と、前記表示状態検出手段により検出した各表示位置の映像信号の表示状態変化のうち、少なくとも１つの映像信号の表示状態変化量が、所定の時間、所定の閾値以下となったとき、当該表示位置の映像信号を含む２以上の各表示位置の表示映像を移動させて表示させる映像表示位置制御手段とを備えたものである。
【０００６】
また、本発明（請求項２）にかかる画面表示制御装置は、請求項１記載の画面表示制御装置において、前記表示状態検出手段は、前記入力映像信号をデジタル化し、所定周期毎に１枚の画像データを作成する画像生成手段を備え、前記各１枚の画像データの輝度値の総和の変化量が所定の閾値を超えているか否かによって、上記各表示位置の映像信号の表示状態変化を検出する輝度状態変化検出手段を備えたものである。
【０００７】
また、本発明（請求項３）にかかる画面表示制御装置は、請求項１記載の画面表示制御装置において、前記表示状態検出手段は、前記入力映像信号をデジタル化した後、圧縮処理をして所定周期毎に１枚の画像データを作成する圧縮画像生成手段を備え、前記各１枚の画像データのデータサイズの変化量が所定の閾値を超えているか否かによって、上記各表示位置の映像信号の表示状態変化を検出する圧縮画像データ変化量検出手段を備えたものである。
【０００８】
また、本発明（請求項４）にかかる画面表示制御装置は、請求項３記載の画面表示制御装置において、前記圧縮処理は、ＪＰＥＧ（Ｊｏｉｎｔ　Ｐｈｏｔｏｇｒａｐｈｉｃ　Ｅｘｐｅｒｔｓ　Ｇｒｏｕｐ）規格に基づいた処理であるものである。
【０００９】
また、本発明（請求項５）にかかる画面表示制御装置は、請求項１記載の画面表示制御装置において、前記表示状態検出手段は、検出した上記一画面上の各映像表示位置の表示状態変化の情報を保持する保持手段を備え、前記映像表示位置制御手段は、前記各映像表示位置の表示映像を移動させて表示させる際、表示状態変化の少ない表示位置に、表示状態変化の大きい映像を表示するように移動させるものである。
【００１０】
また、本発明（請求項６）にかかる画面表示制御装置は、請求項１記載の画面表示制御装置において、前記映像表示位置制御手段は、前記各映像表示位置の表示映像を、移動，表示させた後、一定期間経過後に、前記各映像表示位置の表示映像を、以前の表示位置に再度移動，表示させるものである。
【００１１】
また、本発明（請求項７）にかかる画面表示制御装置は、少なくとも２種類以上の入力映像信号を一画面上に同時に表示させる画面表示制御装置において、上記一画面上の各表示位置の映像信号の表示状態変化を検出する表示状態検出手段と、前記表示状態検出手段により検出した各映像信号の表示状態変化のうち、少なくとも１つの映像信号の表示状態変化量が、所定の時間、所定の閾値以下となったとき、表示状態変化量が閾値以上である映像信号のみを表示する表示、に切替える表示制御手段とを備えるものである。
【００１２】
また、本発明（請求項８）にかかる画面表示制御装置は、請求項７記載の画面表示制御装置において、前記表示状態検出手段は、検出した上記位置画面上の各映像表示位置の表示状態変化の情報を保持する保持手段を備え、前記表示制御手段は、表示状態変化量が閾値以上で、かつ最も変化量が大きい映像信号のみを一画面全面に表示するものである。
【００１３】
また、本発明（請求項９）にかかる画面表示制御装置は、請求項７記載の画面表示制御装置において、表示すべき映像を指定する操作手段を備え、あらかじめ前記操作手段を介して使用者により指定された映像信号のみを、一画面全面に表示するものである。
【００１４】
また、本発明（請求項１０）にかかる画面表示制御装置は、請求項７記載の画面表示制御装置において、前記表示状態検出手段は、検出した上記一画面上の各映像表示位置の表示状態変化の情報を保持する保持手段を備え、前記表示制御手段は、表示状態変化量が閾値以上で、かつ最も変化量が大きい映像信号を、その他の映像信号よりも大きな画像サイズで表示するものである。
【００１５】
また、本発明（請求項１１）にかかる画面表示制御装置は、請求項７記載の画面表示制御装置において、前記表示制御手段は、前記各映像表示位置の表示領域アスペクト比と、入力映像信号のアスペクト比が異なる場合、前記表示領域内に表示する映像を、スクロール表示しながら表示するものである。
【００１６】
また、本発明（請求項１２）にかかる画面表示制御装置は、請求項７記載の画面表示制御装置において、前記表示制御手段は、映像表示状態を切替えた後、一定期間経過後に、映像表示状態を以前の表示状態に再度切替えるものである。
【００１７】
また、本発明（請求項１３）にかかる画面表示制御装置は、少なくとも２種類以上の入力映像信号を一画面上に同時に表示させる画面表示制御装置において、上記一画面上の各表示位置の映像信号の表示状態変化を検出する表示状態検出手段と、前記１画面上の各映像表示位置の表示映像を移動させて表示させる映像表示位置制御手段と、表示状態変化量が閾値以上である映像信号のみを表示する表示、に切替える表示制御手段とを備え、前記表示状態検出手段により検出した各映像信号の表示状態変化のうち、少なくとも１つの映像信号の表示状態変化量が、所定の時間、所定の閾値以下となったとき、表示状態検出手段により検出した各映像信号の表示状態変化量が、所定の時間、所定の閾値以下となった映像信号が、１画面に同時に表示する映像信号のうち半数より少ない場合、前記映像表示位置制御手段を用いて、映像表示位置の移動を行い、１画面に同時に表示する映像信号のうち半数以上の場合、前記表示制御手段を用いて、映像信号の表示切替えを行うものである。
【００１８】
また、本発明（請求項１４）にかかる画面表示制御装置は、請求項１３記載の画面表示制御装置において、前記表示制御手段は、映像表示状態を、表示状態変化量が閾値以上である映像信号のみを表示する表示に切替えた後、一定期間経過後に、映像表示状態を、以前の表示状態に再度切替え、前記映像表示位置制御手段は、各映像表示位置の表示映像を移動させて表示させた後、一定期間経過後に、各映像表示位置の表示映像を以前の表示位置に再度移動させて表示させるものである。
【００１９】
また、本発明（請求項１５）にかかる画面表示制御装置は、少なくとも２種類以上の入力映像信号を一画面上に同時に表示させる画面表示制御装置において、前記各入力映像信号毎に、上記一画面上の各表示位置の映像信号の表示状態変化を検出する表示状態検出手段と、前記各入力映像信号を出力する撮像部のズーム制御を行うズーム制御手段と、を備え、前記表示状態検出手段により検出した各映像信号の表示状態変化のうち、少なくとも１つの映像信号の表示状態変化量が、所定の時間、所定の閾値以下となったとき、当該入力映像信号に対応する前記ズーム制御手段により、該対応する撮像部における撮像画面のズームイン、ズームアウト制御を行なうものである。
【００２０】
また、本発明（請求項１６）にかかる画面表示制御装置は、少なくとも２種類以上の入力映像信号を一画面上に同時に表示させる画面表示制御装置において、前記各入力映像信号毎に、上記一画面上の各表示位置の映像信号の表示状態変化を検出する表示状態検出手段と、前記各入力映像信号を出力する撮像部の撮像方向の縦軸方向、及び横軸方向の移動制御を行う撮像方向制御手段と、を備え、前記表示状態検出手段により検出した各映像信号の表示状態変化のうち、少なくとも１つの映像信号の表示状態変化量が、所定の時間、所定の閾値以下となったとき、当該入力映像信号に対応する撮像部における撮像方向の縦軸方向、及び横軸方向の移動制御を行なうものである。
【００２１】
また、本発明（請求項１７）にかかる画面表示制御装置は、少なくとも２種類以上の入力映像信号を一画面上に同時に表示させる画面表示制御装置において、上記一画面上の各表示位置の映像信号の表示状態変化を検出する表示状態検出手段と、画像データをランダムアクセス可能な記録媒体に記録する記録手段と、前記ランダムアクセス可能な記録媒体に記録されている前記画像データを読み出して再生する再生手段と、を備え、前記表示状態検出手段により検出した各映像信号の表示状態変化のうち、少なくとも１つの映像信号の表示状態変化量が、所定の時間、所定の閾値以下となったとき、前記再生手段により、前記ランダムアクセス可能な記録媒体内の所定の時間、所定の閾値以下となった映像表示位置に、前記画像データを読み出して再生表示するものである。
【００２２】
また、本発明（請求項１８）にかかる画面表示制御装置は、少なくとも２種類以上の入力映像信号を一画面上に同時に表示させる画面表示制御装置において、上記一画面上の各表示位置の映像信号の表示状態変化を検出する表示状態検出手段と、前記入力映像信号をデジタル化し、所定周期毎に１枚の画像データを作成する画像生成手段と、前記画像データを、前記入力映像信号毎にランダムアクセス可能な記録媒体に記録する記録手段と、前記ランダムアクセス可能な記録媒体に記録されている前記画像データを、読み出して再生する再生手段と、を備え、前記表示状態検出手段により検出した各映像信号の表示状態変化のうち、少なくとも１つの映像信号の表示状態変化量が、所定の時間、所定の閾値以下となったとき、前記再生手段により、前記ランダムアクセス可能な記録媒体内の、当該入力映像信号に対応する前記画像データを、読み出して高速再生し、当該映像表示位置に表示するものである。
【００２３】
また、本発明（請求項１９）にかかる画面表示制御装置は、少なくとも２種類以上の入力映像信号を一画面上に同時に表示させる画面表示制御装置において、上記一画面上の各表示位置の、映像信号の表示状態変化を検出する表示状態検出手段と、上記一画面上の各映像表示位置のうちの、各指定表示領域の表示状態を制御する指定表示領域制御手段と、を備え、前記表示状態検出手段により検出した各映像表示位置の表示状態変化のうちの、少なくとも１つの映像信号の表示状態変化量が、所定の時間、所定の閾値以下となったとき、前記表示領域制御手段により、当該映像信号の表示状態を変化させるものである。
【００２４】
また、本発明（請求項２０）にかかる画面表示制御装置は、請求項１９記載の画面表示制御装置において、前記指定表示領域制御手段は、当該指定表示領域の表示する輝度値を、変化させるものである。
【００２５】
また、本発明（請求項２１）にかかる画面表示制御装置は、請求項１９記載の画面表示制御装置において、前記指定表示領域制御手段は、当該指定表示領域の表示を、停止させるものである。
【００２６】
また、本発明（請求項２２）にかかる画面表示制御装置は、請求項１９記載の画面表示制御装置において、前記指定表示領域制御手段は、当該指定表示領域の表示状態を変化させた後、一定期間経過後に、以前の表示状態に再度戻すものである。
【００２７】
【発明の実施の形態】
（実施の形態１）
以下に、本発明の請求項１、および請求項２、請求項３、請求項４、請求項５、請求項６に記載された発明の実施の形態について、図１、および図２、図３、図４、図５、図６を用いて説明する。
【００２８】
本実施の形態１による画面表示制御装置は、少なくとも２種類以上の入力映像信号を１画面に同時に表示する機能を備えた画面表示制御装置において、従来技術と異なり、１画面における各映像表示位置の表示状態変化を検出する表示状態検出手段と、前記表示状態検出手段において検出した表示状態変化のうち、１画面上の少なくとも１つの映像表示位置の表示状態変化量が、所定の時間Ｔｉ、所定の閾値Ｔｈ以下となったとき、各映像表示位置の表示映像を、移動させて表示させることにより、視聴状況の変化を極力抑えながら、焼き付きを防止できるようにしたものである。
【００２９】
図１は、本発明の実施の形態１による画面表示制御装置のブロック図を示す。図１において、１０１は画面表示制御装置、１０２は画面表示制御装置１０１への入力映像信号端子、１０３は入力された映像信号をアナログ／デジタル変換するＡ／Ｄコンバータ、１０４は入力された複数の映像データを切替えて出力するデータ（映像データ１）と、複数の映像信号を１画面に同時に表示するデータ（映像データ２）との双方を出力するスイッチャ部、１０５はスイッチャ部１０４の、入力された複数の映像データを切替えて出力する機能を制御するセレクタ制御部、１０６はスイッチャ部１０４より送られる映像情報ＶＩと、映像データ１より、各入力映像信号の表示状態変化を検出する表示状態検出部、１０７は画面表示制御装置全体の統括制御を行うメイン制御部、１０８は表示状態検出部１０６によって検出された結果に応じて、各映像の表示位置を移動させる表示位置制御部、１０９はスイッチャ部１０４より出力された映像データ２を、デジタル／アナログ変換するＤ／Ａコンバータである。
【００３０】
入力映像信号端子１０２より入力された複数の映像信号は、Ａ／Ｄコンバータ１０３にてアナログ／デジタル変換され、デジタルデータとして、スイッチャ部１０４に入力される。スイッチャ部１０４では、入力された複数の映像データのうち、セレクタ制御部１０５によって指定された映像データ１を出力する。また、複数の映像データを１画面に同時に表示する映像データ２をも同時に出力する。セレクタ制御部１０５は、メイン制御部１０７より指定された所定の時間間隔にて出力する映像データを切替える命令を、スイッチャ部１０４に通知する。あるいは、メイン制御部１０７より指定のあった時点で指定映像データに切替える命令を、スイッチャ部１０４に通知する。また、スイッチャ部１０４は、映像データ１、及び映像データ２を出力するとともに、出力した映像データ１が、いずれの入力映像信号端子１０２に入力された映像信号であるかの映像情報ＶＩをも出力する。
【００３１】
次に、スイッチャ部１０４より出力された映像データ１、及び映像情報ＶＩを、表示状態検出部１０６に入力し、表示状態検出部１０６において、各入力映像信号端子１０２に入力された映像信号毎に表示状態変化を検出し、各表示状態変化量のうち少なくとも１つの状態変化量が、所定の時間Ｔｉ、所定の閾値Ｔｈ以下となった場合、メイン制御部１０７に対して、状態変化量の小さい映像データが、いずれの入力映像信号端子１０２に入力された映像信号であるかの情報を通知する。メイン制御部１０７は、表示状態検出部１０６より状態変化量の小さい映像信号情報が通知されたとき、表示位置制御部１０８に対し、状態変化量の小さい映像信号情報に対応する映像データの表示位置の移動命令を通知する。表示位置制御部１０８は、メイン制御部１０７より、映像信号の表示位置を移動させるべき旨の表示位置移動命令が通知されたとき、所定の時間、映像信号の表示位置を切替えて表示するようスイッチャ部１０４に通知し、スイッチャ部１０４は、通知された各映像信号の表示位置情報を用いて、１画面に同時に表示する映像データ２を生成し、Ｄ／Ａコンバータ１０９に出力する。Ｄ／Ａコンバータ１０９は、入力された映像データ２をデジタル／アナログ変換し、外部へ出力する。
【００３２】
また、上記表示状態検出部１０６に関して、図２、および図３、図４、図５を用いて詳細に説明する。
図２は、本発明の実施の形態１による画面表示制御装置における、輝度状態変化検出手段２０４を備えた表示状態検出部１０６のブロック図を示す。
【００３３】
図２において、２０１（１０６）は、表示状態検出部、２０２はスイッチャ部２０１より入力された映像情報ＶＩと、映像データ１とより、所定の時間周期で、各入力映像信号毎に１枚の画像データを作成する画像生成部、２０３は画像生成部２０２より出力される画像データを、各入力映像信号毎に格納する画像データ格納部、２０４は画像データ格納部２０３内に格納されている画像データを用いて、各入力映像信号毎に、時系列を構成する各画像データ間の輝度値の変化状態を検出する輝度状態変化検出部、２０５（１０７）はメイン制御部である。
【００３４】
画像生成部２０２において、スイッチャ部２０１より入力された映像情報ＶＩと、映像データ１とにより、所定の時間周期で、各入力映像信号毎に１枚の画像データを作成する。生成した画像データを画像データ格納部２０３に送る際、いずれの入力映像信号端子１０２に入力された映像信号であるかの映像情報ＶＩをも、同時に画像データ格納部２０３に通知する。画像データ格納部２０３では、画像生成部２０２より入力された画像データを、通知された映像情報ＶＩに従い、各入力映像信号毎に一定時間Ｎｍａｘ、分、格納する。なお、画像データ格納部２０３に格納する画像データは、古い画像データから上書き処理を行い随時更新する。
【００３５】
次に、輝度状態変化検出部２０４における、各入力映像信号毎の輝度値の変化状態を検出する処理を、図４を用いて説明する。
図４は、輝度状態変化検出部２０４における、各入力映像信号毎の輝度値の変化状態を検出する処理、を示すフローチャート図である。
【００３６】
まず、ステップＳ４０１において、各入力映像信号毎の輝度値の変化状態を検出する処理の初期設定情報をセットする。ステップＳ４０１において、Ｍは、画面表示制御装置に入力されている入力映像信号の第何番目の入力映像信号であるかを表し、Ｎは、画像データ格納部２０３に格納されている画像データの時系列情報、すなわち時系列的に何番目の画像データであるかを表す。なお、画面表示制御装置に入力されている入力映像信号の総数は、Ｍｍａｘ、と表し、画像データ格納部２０３に格納されている各入力映像信号毎の画像データ数は、Ｎｍａｘ、と表す。
【００３７】
ステップＳ４０２において、画像データ格納部２０３に格納されている第Ｍ番目の入力映像信号の画像データＤＭＮと、画像データＤＭ（Ｎ＋１）、とを読み出す。画像データＤＭＮと、画像データＤＭ（Ｎ＋１）、とは、時間軸上で隣接した画像データである。次に、ステップＳ４０３において、画像データＤＭＮと、画像データＤＭ（Ｎ＋１）、との間での輝度情報の変化量Ｖｙを算出する。次に、ステップＳ４０４において、ステップＳ４０３で算出した変化量Ｖｙが、所定の閾値Ｔｈｙ、以下となっているかをチェックする。その結果、所定の閾値Ｔｈｙ、以下となっている場合、ステップＳ４０５において、チェックカウンタＣｍをインクリメントし、閾値Ｔｈｙ以下となっていない場合、ステップＳ４０６において、チェックカウンタＣｍを０にクリアする。
【００３８】
次に、ステップＳ４０７において、チェックカウンタＣＭをチェックし、所定の時間Ｔｉ分の画像枚数Ｐ、より大きくなっているかをチェックする。その結果、所定の時間Ｔｉ、分の画像枚数Ｐ、より大きくなっている場合、ステップＳ４０８において、メイン制御部１０７に対し、状態変化量の小さい映像データがいずれの入力映像信号端子１０２に入力された映像信号であるかの情報、即ち例えば、第Ｍ番目の入力映像信号であるとの情報、を通知し、チェックカウンタＣＭを０クリアする。次に、ステップＳ４０９において、現在行っている輝度値の変化状態を検出する処理が、画面表示制御装置に入力されているいずれの入力映像信号に対しなされているかをチェックし、その結果、入力されている最終の入力映像信号に対しなされている、すなわちＭ＝　Ｍｍａｘ、であれば、ステップＳ４１０において、Ｍを１にリセットし、入力されている最終の入力映像信号でない、すなわちＭ≠Ｍｍａｘ、であれば、ステップＳ４１１において、Ｍをインクリメントする。次に、ステップＳ４１２において、現在比較している画像データの時系列情報Ｎをチェックし、その結果、画像データ格納部２０３に格納されている各入力映像信号毎の画像データ数であれば、すなわち、Ｎ＝　Ｎｍａｘ−１、であれば（現在比較している画像データが、Ｎｍａｘ−１と、Ｎｍａｘ、であれば）、ステップＳ４１３において、Ｎを１にリセットし、画像データ格納部２０３に格納されている各入力映像信号毎の画像データ数でないならば、すなわちＮ≠Ｎｍａｘ−１であれば、ステップＳ４１４において、Ｎをインクリメントする。その後、ステップＳ４０２の処理に戻る。ステップＳ４０２からステップＳ４１４までの処理を、繰り返し行うことにより、継続的に、各入力映像信号毎の輝度値の変化状態を検出する処理を行う。
【００３９】
図３は、本実施の形態１による画面表示制御装置における、圧縮画像データ変化量検出手段３０４を備えた、表示状態検出部１０６のブロック図を示す。
図３において、３０１（１０６）は表示状態検出部、３０２はスイッチャ部１０４より入力された映像情報ＶＩと、映像データ１とにより、所定の時間周期で各入力映像信号毎に圧縮処理を施し、１枚の圧縮画像データを作成する圧縮画像生成部、３０３は圧縮画像生成部３０２より出力される圧縮画像データを各入力映像信号毎に格納する圧縮画像データ格納部、３０４は圧縮画像データ格納部３０３内に格納されている圧縮画像データを用いて、各入力映像信号毎に時系列の各圧縮画像データ間のデータ量の変化状態を検出する圧縮画像データ量変化検出部、３０５（１０７）はメイン制御部である。
【００４０】
圧縮画像生成部３０２において、スイッチャ部１０４より入力された映像情報ＶＩと、映像データ１とにより、所定の時間周期で、各入力映像信号毎に圧縮処理を施し、１枚の圧縮画像データを作成する。なお、画像の圧縮処理はＪＰＥＧ（Ｊｏｉｎｔ　Ｐｈｏｔｏｇｒａｐｈｉｃ　Ｅｘｐｅｒｔｓ　Ｇｒｏｕｐ）規格等に基づいた方式により行う。生成した圧縮画像データを圧縮画像データ格納部３０３に送る際、いずれの入力映像信号端子１０２に入力された映像信号であるかの映像情報ＶＩをも、同時に圧縮画像データ格納部３０３に通知する。圧縮画像データ格納部３０３では、圧縮画像生成部３０２より入力された圧縮画像データを、通知された映像情報に従い、各入力映像信号毎に一定時間分Ｎｍａｘ、分、格納する。なお、圧縮画像データ格納部３０３に格納する圧縮画像データは、古い圧縮画像データから上書き処理を行い随時更新する。
【００４１】
次に、圧縮画像データ量変化検出部３０４における、各入力映像信号毎の圧縮画像データ量の変化状態を検出する処理を、図５を用いて説明する。
図５は、圧縮画像データ量変化検出部３０４における各入力映像信号毎の圧縮画像データ量の変化状態を検出する処理、を示すフローチャート図である。
【００４２】
まず、ステップＳ５０１において、各入力映像信号毎の圧縮画像データ量の変化状態を検出する処理の初期設定情報をセットする。ステップＳ５０１において、Ｍは、画面表示制御装置に入力されている入力映像信号の第何番目の入力映像信号であるかを表し、Ｎは、圧縮画像データ格納部３０３に格納されている圧縮画像データの時系列情報、すなわち時系列的に何番目の圧縮画像データであるかを表す。なお、画面表示制御装置に入力されている入力映像信号の総数は、Ｍｍａｘ、と表し、圧縮画像データ格納部３０３に格納されている各入力映像信号毎の圧縮画像データ数は、Ｎｍａｘ、と表す。
【００４３】
ステップＳ５０２において、圧縮画像データ格納部３０３に格納されている第Ｍ番目の入力映像信号の圧縮画像データＣＤＭＮと、圧縮画像データＣＤＭ（Ｎ＋１）、とを読み出す。圧縮画像データＣＤＭＮと、圧縮画像データＣＤＭ（Ｎ＋１）、とは、時間軸上で隣接した圧縮画像データである。次に、ステップＳ５０３において、圧縮画像データＣＤＭＮと、圧縮画像データＣＤＭ（Ｎ＋１）、とのデータ量の変化量Ｖｓ、を算出する。次に、ステップＳ５０４において、ステップＳ５０３で算出した変化量Ｖｓ、が、所定の閾値Ｔｈｓ、以下となっているかをチェックする。その結果、所定の閾値Ｔｈｓ、以下となっている場合、ステップＳ５０５において、チェックカウンタＣｍをインクリメントし、閾値Ｔｈｓ、以下となっていない場合、ステップＳ５０６において、チェックカウンタＣｍを０にクリアする。次に、ステップＳ５０７において、チェックカウンタＣＭをチェックし、所定の時間Ｔｉ、分の画像枚数Ｐ、より大きくなっているかをチェックする。その結果、所定の時間Ｔｉ、分の画像枚数Ｐ、より大きくなっている場合、ステップＳ５０８において、メイン制御部１０７に対し、状態変化量の小さい映像データが、いずれの入力映像信号端子１０２に入力された映像信号であるかの情報、即ち例えば、第Ｍ番目の入力映像信号であるとの情報、を通知し、チェックカウンタＣＭを０クリアする。次に、ステップＳ５０９において、現在行っているデータ値の変化状態を検出する処理が、画面表示制御装置に入力されているいずれの入力映像信号に対しなされているかをチェックし、その結果、入力されている最終の入力映像信号に対しなされている、すなわちＭ＝　Ｍｍａｘ、であれば、ステップＳ５１０において、Ｍを１にリセットし、入力されている最終の入力映像信号に対しなされているのでない、すなわちＭ≠Ｍｍａｘ、であれば、ステップＳ５１１において、Ｍをインクリメントする。次に、ステップＳ５１２において、現在比較している圧縮画像データの時系列情報Ｎをチェックし、その結果、該時系列情報Ｎが、圧縮画像データ格納部３０３に格納されている各入力映像信号毎の圧縮画像データ数、であれば、すなわちＮ＝　Ｎｍａｘ−１であれば（現在比較している圧縮画像データが、Ｎｍａｘ−１と、Ｎｍａｘ、であれば）、ステップＳ５１３において、Ｎを１にリセットし、圧縮画像データ格納部３０３に格納されている各入力映像信号毎の圧縮画像データ数でないならば、すなわちＮ≠Ｎｍａｘ−１であれば、ステップＳ５１４において、Ｎをインクリメントする。その後、ステップＳ５０２の処理に戻る。ステップＳ５０２からステップＳ５１４までの処理を、繰り返し行うことにより、継続的に、各入力映像信号毎のデータ量の変化状態を検出する処理を行う。
【００４４】
次に、表示位置制御部１０８、及びスイッチャ部１０４における、映像信号の表示位置を切替えて表示する処理、に関して、図６を用いて説明する。
図６は、本実施の形態１における、表示位置の切替え処理の流れ、を示すフローチャート図である。
【００４５】
図６において、６０１、６０２、６０３、６０４は表示画面、６１１、６２１、６３１、６４１は、表示位置１に表示している映像、６１２、６２２、６３２、６４２は、表示位置２に表示している映像、６１３、６２３、６３３、６４３は、表示位置３に表示している映像、６１４、６２４、６３４、６４４は、表示位置４に表示している映像である。
【００４６】
表示画面６０１において、表示位置１に表示している映像６１１は、入力映像端子１０２に入力された入力映像信号１の映像であり、表示位置２に表示している映像６１２は、入力映像端子１０２に入力された入力映像信号２の映像であり、表示位置３に表示している映像６１３は、入力映像端子１０２に入力された入力映像信号３の映像であり、表示位置４に表示している映像６１４は、入力映像端子１０２に入力された入力映像信号４の映像である。表示状態検出部１０６によって表示状態変化を検出し、その結果、表示位置４に表示している入力映像端子１０２に入力された入力映像信号４の映像（映像６２４）が、状態変化量が小さいと検知された場合、メイン制御部１０７に対して、表示状態検出部１０６が保有する表示状態変化情報を通知する。メイン制御部１０７は通知された表示状態変化情報に従い、表示位置制御部１０８に対し、入力映像信号４の映像（映像６２４）の表示位置を移動すべき旨の移動命令を通知する。その際、表示状態変化情報も同時に通知する。表示位置制御部１０８は、メイン制御部１０７より入力映像信号４の映像（映像６２４）の表示位置の移動命令を受け、所定の時間、入力映像信号４の映像（映像６２４）の表示位置を移動させて表示させるようスイッチャ部１０４に通知する。その際、メイン制御部１０７より、入力映像信号４の映像（映像６２４）の表示位置の移動命令、とともに通知された表示状態変化情報により、入力映像信号４の映像（映像６２４）以外の映像の表示状態変化をチェックし、最も表示状態変化の大きな入力映像信号の表示位置と、該映像６２４の表示位置とを変更するように、スイッチャ部１０４に通知する。例えば入力映像信号１の映像（映像６２１）が最も表示状態変化が大きい場合、入力映像信号１の映像（映像６２１）の表示位置と、入力映像信号４の映像（映像６２４）の表示位置とを変更するように、スイッチャ部１０４に通知する。その結果、表示画面６０３に表されるように、各入力映像信号の映像は、表示される。表示位置を変更した後、所定の時間が経過した場合、スイッチャ部１０４は、画面上の表示を、再度、元の表示位置へ変更する。その結果、表示画面６０４に表されるように、各入力映像信号の映像は、表示される。
【００４７】
このような本実施の形態１においては、複数の入力映像信号を１画面に表示する場合において、入力される映像信号の中に、動きの激しいシーンの映像や、動きのほとんどないシーンの映像が混在している場合でも、各映像表示位置の表示状態変化を検出し、各映像表示位置の表示映像を移動させて表示させるようにすることにより、視聴状況の変化を極力抑え、適切な焼き付き防止の処理を行うことのできる画面表示制御装置を実現することができる。
【００４８】
（実施の形態２）
以下、本発明の請求項７、および請求項８、請求項９、請求項１０、請求項１１、請求項１２に記載された発明の実施の形態について、図７、および図８、図９、図１０を用いて説明する。
本実施の形態２における画面表示制御装置は、少なくとも２種類以上の入力映像信号を１画面に同時に表示する機能を備えた画面表示制御装置において、従来技術と異なり、１画面における各映像表示位置の表示状態変化を検出する表示状態検出手段と、前記表示状態検出手段において検出した表示状態変化のうち、１画面上の少なくとも１つの映像表示位置の表示状態変化量が、所定の時間Ｔｉ、所定の閾値Ｔｈ、以下となったとき、表示状態変化量が所定の閾値Ｔｈ、以上の入力映像信号のみを表示する表示、に切替えることにより、視聴状況の変化を極力抑えながら、焼き付きを防止できるようにしたものである。
【００４９】
図７は、本実施の形態２による画面表示制御装置のブロック図を示す。
図７において、７０１は、本実施の形態２による画面表示制御装置であり、本画面表示制御装置７０１において、表示制御部７０８、およびユーザーインターフェイス部７１０以外の構成は、図１の画面表示制御装置１０１のブロック図におけるものと同一である。また、入力映像端子１０２より映像信号が入力されてから、メイン制御部７０７に対して、状態変化量の小さい映像データがいずれの入力映像信号端子１０２に入力された映像信号であるかの情報、を通知されるまでの処理の流れ、及び表示状態検出部１０６の処理の流れも、前記実施の形態１におけると同様である。
【００５０】
以下に、メイン制御部７０７に対して、状態変化量の小さい映像データがいずれの入力映像信号端子１０２に入力された映像信号であるかの情報、を通知された後の処理の流れを説明する。
【００５１】
メイン制御部７０７は、表示状態検出部１０６より状態変化量の小さい映像信号情報が通知された際、表示制御部７０８に対し、状態変化量が所定の閾値Ｔｈ、以上の映像信号のみを表示する表示、へ切替えるべき旨の、切替命令を通知する。またその際、表示状態変化情報も同時に通知する。表示制御部７０８は、メイン制御部７０７より、状態変化量が所定の閾値Ｔｈ、以上の映像信号のみを表示する表示、への切替命令が通知された際、同時に通知された表示状態変化情報により、所定の時間、指定映像信号のみによる表示、に切替えて表示するようスイッチャ部１０４に通知し、スイッチャ部は、通知された指定映像信号情報で、１画面に同時に表示する映像データ２を生成し、Ｄ／Ａコンバータ１０９に出力する。Ｄ／Ａコンバータ１０９は、入力された映像データ２をデジタル／アナログ変換し外部へ出力する。また、ユーザーインターフェイス部７１０を使用して、ユーザーによって設定された各種設定値を、メイン制御部７０７に通知する。
【００５２】
次に、表示制御部７０８、及びスイッチャ部１０４における、状態変化量が所定の閾値Ｔｈ、以上の映像信号のみを表示する表示、に切替える処理に関して、図８、および図９、図１０を用いて説明する。
図８は、本実施の形態２による、表示状態変化量が閾値以上でかつ最も変化量が大きい映像信号のみを表示する表示、に切替える処理の流れを示す図である。
【００５３】
図８において、８０１、８０２、８０３、８０４は表示画面、８１１、８２１、８４１は表示位置１に表示している映像、８１２、８２２、８４２は表示位置２に表示している映像、８１３、８２３、８４３は表示位置３に表示している映像、８１４、８２４、８４４は表示位置４に表示している映像、８３１は最も変化量が大きい映像信号のみを表示する映像である。
【００５４】
表示画面８０１において、表示位置１に表示している映像８１１は、入力映像端子１０２に入力された入力映像信号１の映像であり、表示位置２に表示している映像８１２は、入力映像端子１０２に入力された入力映像信号２の映像であり、表示位置３に表示している映像８１３は、入力映像端子１０２に入力された入力映像信号３の映像であり、表示位置４に表示している映像８１４は、入力映像端子１０２に入力された入力映像信号４の映像である。
【００５５】
表示状態検出部１０６によって表示状態変化を検出し、その結果、表示位置４に表示している入力映像端子１０２に入力された入力映像信号４の映像（映像８２４）が、状態変化量が小さいと検知された場合、メイン制御部７０７に対して表示状態検出部１０６が保有する表示状態変化情報を通知する。メイン制御部７０７は通知された表示状態変化情報に従い表示制御部７０８に対し、状態変化量が所定の閾値Ｔｈ、以上の映像信号のみを表示する表示、への切替命令を通知する。またその際、表示状態変化情報も同時に通知する。表示制御部７０８は、メイン制御部７０７より、状態変化量が所定の閾値Ｔｈ、以上の映像信号のみを表示する表示、への切替命令が通知された際、同時に通知された表示状態変化情報により、最も状態変化量の大きい映像信号である入力映像端子１０２に入力された入力映像信号１の映像（映像８２１）のみを表示する表示に、所定の時間、切替えて表示するようスイッチャ部７０４に通知する。その結果、表示画面８０３に表されるように、映像が表示される。最も状態変化量の大きい映像信号のみを表示する表示、に切替えた後、所定の時間が経過した場合、スイッチャ部７０４は再度、元の表示位置の複数映像を表示する表示、に変更する。その結果、表示画面８０４に表される位置に、各入力映像信号の映像は表示される。
【００５６】
図９は、本実施の形態２による、表示状態変化量が閾値以上で、かつユーザーより通知された注目映像信号である映像、のみを表示する表示に切替える処理、の流れを示す図である。
【００５７】
図９において、９０１、９０２、９０３、９０４は表示画面、９１１、９２１、９４１は表示位置１に表示している映像１１（注目優先順位：２、動きレベル：５）、９１２、９２２、９４２は表示位置２に表示している映像１２（注目優先順位：１、動きレベル：３）、９１３、９２３、９４３は表示位置３に表示している映像１３（注目優先順位：４、動きレベル：５）、９１４、９２４、９４４は表示位置４に表示している映像１４（注目優先順位：３、動きレベル：１）、９３１は表示状態変化量が閾値以上でかつユーザーより通知された注目映像信号のみ（映像１２、注目優先順位：１）を表示する表示、の映像である。
【００５８】
表示画面９０１において、表示位置１に表示している映像９１１は、入力映像端子１０２に入力された入力映像信号１の映像であり、表示位置２に表示している映像９１２は、入力映像端子１０２に入力された入力映像信号２の映像であり、表示位置３に表示している映像９１３は、入力映像端子１０２に入力された入力映像信号３の映像であり、表示位置４に表示している映像９１４は、入力映像端子１０２に入力された入力映像信号４の映像である。
【００５９】
表示状態検出部１０６によって表示状態変化を検出し、その結果、表示位置４に表示している入力映像端子１０２に入力された入力映像信号４の映像（映像９２４）が、状態変化量が小さいと検知された場合、メイン制御部７０７に対して表示状態検出部１０６が保有する表示状態変化情報を通知する。メイン制御部７０７は通知された表示状態変化情報に従い、表示制御部７０８に対し、状態変化量が所定の閾値Ｔｈ、以上の映像信号のみを表示する表示、への切替命令を通知する。またその際、表示状態変化情報と、ユーザーインターフェイス部７１０とを使用して、ユーザーによって設定された表示優先順位情報も同時に通知する。表示制御部７０８は、メイン制御部７０７より、状態変化量が所定の閾値Ｔｈ、以上の映像信号のみを表示する表示、への切替命令が通知された際、同時に通知された表示状態変化情報により、状態変化量が所定の閾値Ｔｈ、以上の映像信号であって、かつ、同時に通知された表示優先順位情報より、最も高い優先順位の映像信号である入力映像端子１０２に入力された入力映像信号２の映像（映像９２１）のみを表示する表示に、所定の時間、切替えて表示するようスイッチャ部１０４に通知する。その結果、表示画面９０３に表されるように、映像が表示される。最も高い優先順位の映像信号のみを表示する表示に切替えた後、所定の時間が経過した場合、スイッチャ部１０４は再度、元の表示位置の複数映像による表示に変更する。その結果、表示画面９０４に表される位置に、各入力映像信号の映像は表示される。
【００６０】
図１０は、本実施の形態２による、表示状態変化量が閾値以上の映像信号のみを表示する表示、に切替える処理の流れを示す図である。
図１０において、１００１、１００２、１００３、１００４は表示画面、１０１１、１０２１、１０４１は表示位置１に表示している映像１１（動きレベル：５）、１０１２、１０２２、１０４２は表示位置２に表示している映像１２（動きレベル：３）、１０１３、１０２３、１０４３は表示位置３に表示している映像１３（動きレベル：３）、１０１４、１０２４、１０４４は表示位置４に表示している映像１４（動きレベル：１）、１０３１は表示状態変化量が閾値以上でかつ最も状態変化量が大きい映像信号（映像１１、動きレベル：５）による映像、１０３２、１０３３は表示状態変化量が閾値以上のその他の映像信号（映像１２（動きレベル：３）、映像１３（動きレベル：３））による映像である。
【００６１】
表示画面１００１において、表示位置１に表示している映像１０１１は、入力映像端子１０２に入力された入力映像信号１の映像であり、表示位置２に表示している映像１０１２は、入力映像端子１０２に入力された入力映像信号２の映像であり、表示位置３に表示している映像１０１３は、入力映像端子１０２に入力された入力映像信号３の映像であり、表示位置４に表示している映像１０１４は、入力映像端子１０２に入力された入力映像信号４の映像である。
【００６２】
表示状態検出部１０６によって表示状態変化を検出し、その結果、表示位置４に表示している入力映像端子１０２に入力された入力映像信号４の映像（映像１０２４）が、状態変化量が小さいと検知された場合、メイン制御部７０７に対して表示状態検出部７０６が保有する表示状態変化情報を通知する。メイン制御部７０７は通知された表示状態変化情報に従い、表示制御部７０８に対し、状態変化量が所定の閾値Ｔｈ、以上の映像信号のみを表示する表示、への切替命令を通知する。またその際、表示状態変化情報も同時に通知する。表示制御部７０８は、メイン制御部７０７より、状態変化量が所定の閾値Ｔｈ、以上の映像信号のみを表示する表示、への切替命令が通知された際、同時に通知された表示状態変化情報により、状態変化量が所定の閾値Ｔｈ、以上の映像信号（映像１１、映像１２、映像１３）の中より、最も状態変化量の大きい映像信号である入力映像端子１０２に入力された入力映像信号１の映像（映像１０１１、動きレベル：５）の表示サイズを大きくして、入力映像端子１０２に入力された入力映像信号４の映像（映像１０２４）以外の映像（映像１１、映像１２、映像１３）のみを表示する表示に、所定の時間、切替えて表示するようスイッチャ部１０４に通知する。その結果、表示画面１００３に表されるように、映像が表示される。またその際、表示映像のアスペクト比が、原映像のアスペクト比と異なって表示される場合には、アスペクト比が変わった映像に関しては表示映像をスクロール表示することによって映像の全体を表示させるようにしてもよい。また、アスペクト比が変わった映像に関しては、原画像の縦軸あるいは横軸の映像データを間引いて表示映像を形成させることによって映像の全体を表示させてもよい。表示状態変化量が閾値以上の映像信号のみを表示する表示、に切替えた後、所定の時間、が経過した場合、スイッチャ部１０４は再度、元の表示位置の複数映像を表示する表示、に変更する。その結果、表示画面１００４に表される位置に、各入力映像信号の映像は表示される。
【００６３】
このような本実施の形態２において、複数の入力映像信号を１画面に表示する場合において入力される映像信号の中に、動きの激しいシーンの映像や、動きのほとんどないシーンの映像が混在している場合でも、各映像表示位置の表示状態変化を検出し表示状態変化量が大きいもののみを表示する表示、に切替えることにより、視聴状況の変化を極力抑えながら、適切なる焼き付き防止の処理を行うことのできる画面表示制御装置を実現することができる。
【００６４】
（実施の形態３）
以下に、本発明の請求項１３、および請求項１４に記載された発明の実施の形態について、図１１、および１２を用いて説明する。
本実施の形態３における画面表示制御装置は、少なくとも２種類以上の入力映像信号を１画面に同時に表示する機能を備えた画面表示制御装置において、従来技術と異なり、１画面における各映像表示位置の表示状態変化を検出する表示状態検出手段と、前記表示状態検出手段において検出した表示状態変化のうち、１画面上の少なくとも１つの映像表示位置の表示状態変化量が、所定の時間Ｔｉ、所定の閾値Ｔｈ、以下となった際、各映像表示位置を移動させるか、あるいは表示状態変化量が所定の閾値Ｔｈ、以上の入力映像信号のみの表示に切替えることにより、視聴状況の変化を極力抑え、なおかつ適切なる焼き付き防止の処理を行うことができるようにしたものである。
【００６５】
図１１は本実施の形態３による画面表示制御装置のブロック図を示す。
図１１において、１１０１は、本実施の形態３による画面表示制御装置であり、本画面表示制御装置１１０１において、表示位置制御部１１０８、および表示制御部１１１０以外の構成部は、図１の画面表示制御装置のブロック図と同一構成である。よって、入力映像端子１０２より映像信号が入力されてから、メイン制御部１１０７に対して、状態変化量の小さい映像データがいずれの入力映像信号端子１０２に入力された映像信号であるかの情報、を通知されるまでの処理の流れ、及び表示状態検出部１０６の処理の流れも、前記実施の形態１におけるものと同様である。
【００６６】
以下に、メイン制御部１１０７に対して、状態変化量の小さい映像データがいずれの入力映像信号端子１０２に入力された映像信号であるかの情報、を通知された後の処理の流れを説明する。
【００６７】
メイン制御部１１０７は、表示状態検出部１０６より状態変化量の小さい映像信号情報が通知された際、通知された表示状態変化情報により、状態変化量が所定の閾値Ｔｈ、以下の映像信号が、１画面に同時に表示する映像信号において半数以上であれば、表示制御部１１１０に対し、状態変化量が所定の閾値Ｔｈ、以上の映像信号のみを表示する表示、への切替命令を通知する。またその際、表示状態変化情報も同時に通知する。表示制御部１１１０は、メイン制御部１１０７より状態変化量が所定の閾値Ｔｈ、以上の映像信号のみを表示する表示への切替命令が通知された際、同時に通知された表示状態変化情報により、所定の時間、該表示状態変化情報によって決定される指定映像信号のみによる表示に切替えて表示するようスイッチャ部１０４に通知し、スイッチャ部１０４は前記指定映像信号情報で１画面に同時に表示する映像データ２を生成し、Ｄ／Ａコンバータ１０９に出力する。Ｄ／Ａコンバータ１０９は、入力された映像データ２をデジタル／アナログ変換し外部へ出力する。
【００６８】
また、メイン制御部１１０７は、表示状態検出部１０６より状態変化量の小さい映像信号情報が通知された際、通知された表示状態変化情報により状態変化量が所定の閾値Ｔｈ、以下の映像信号が、１画面に同時に表示する映像信号において半数より少なければ、表示位置制御部１１０８に対し、状態変化量の小さい映像信号情報に対応する映像データの表示位置を移動させるべき旨の、移動命令を通知する。表示位置制御部１１０８は、メイン制御部１１０７より映像信号の表示位置の移動命令が通知された際、所定の時間、映像信号の表示位置を切替えて表示するようスイッチャ部１０４に通知し、スイッチャ部１０４は通知された表示位置情報で１画面に同時に表示する映像データ２を生成し、Ｄ／Ａコンバータ１０９に出力する。Ｄ／Ａコンバータ１０９は、入力された映像データ２をデジタル／アナログ変換し外部へ出力する。
【００６９】
次に、表示位置制御部１１０８、表示制御部１１１０、及びスイッチャ部１０４における、各映像表示位置を移動させて表示させる、あるいは表示状態変化量が所定の閾値Ｔｈ、以上の入力映像信号のみを表示する表示、に切替える処理に関して、図１２を用いて説明する。
【００７０】
図１２は、本発明の実施の形態３による、各映像表示位置の映像を、移動させて表示させる、あるいは表示状態変化量が所定の閾値Ｔｈ、以上の入力映像信号のみを表示する表示、に切替える処理の流れ、を示す図である。
【００７１】
図１２において、１２０１、１２０２、１２０３、１２０４、１２０５は表示画面、１２１１、１２２１、１２３１、１２４１は表示位置１に表示している映像（動きＡ）、１２１２、１２２２、１２３２、１２４２は表示位置２に表示している映像（動きＢ）、１２１３、１２２３、１２３３、１２４３は表示位置３に表示している映像（動きＣ）、１２１４、１２２４、１２３４、１２４４は表示位置４に表示している映像（動きＤ）、１２３５は最も変化量が大きい映像信号のみの映像（動きＡ）である。
【００７２】
表示画面１２０１において、表示位置１に表示している映像１２１１は、入力映像端子１０２に入力された入力映像信号１の映像であり、表示位置２に表示している映像１２１２は、入力映像端子１０２に入力された入力映像信号２の映像であり、表示位置３に表示している映像１２１３は、入力映像端子１０２に入力された入力映像信号３の映像であり、表示位置４に表示している映像１２１４は、入力映像端子１０２に入力された入力映像信号４の映像である。
【００７３】
表示状態検出部１０６によって表示状態変化を検出し、その結果、表示位置４に表示している入力映像端子１０２に入力された入力映像信号４の映像（映像１２２４）が、状態変化量が小さいと検知された場合、メイン制御部１１０７に対して、表示状態検出部１０６が保有する表示状態変化情報を通知する。
【００７４】
メイン制御部１１０７は、通知された表示状態変化情報に従い、状態変化量が所定の閾値Ｔｈ、以下の映像信号が、１画面に同時に表示する映像信号において半数以上であれば、表示制御部１１１０に対し、状態変化量が所定の閾値Ｔｈ、以上の映像信号のみによる表示、への切替命令を通知する。またその際、表示状態変化情報も同時に通知する。表示制御部１１１０は、メイン制御部１１０７より、状態変化量が所定の閾値Ｔｈ、以上の映像信号のみを表示する表示、への切替命令が通知された際、同時に通知された表示状態変化情報により、最も状態変化量の大きい映像信号である入力映像端子１０２に入力された入力映像信号１の映像（映像１２２１）のみの表示に、所定の時間、切替えて表示するようスイッチャ部１０４に通知する。その結果、表示画面１２０４に表されるように、映像が表示される。最も状態変化量の大きい映像信号のみを表示する表示、に切替えた後、所定の時間が経過した場合、スイッチャ部１０４は再度、元の表示位置の複数映像による表示に変更する。その結果、表示画面１２０５に表される位置に、各入力映像信号の映像は表示される。
【００７５】
また、メイン制御部１１０７は、通知された表示状態変化情報に従い、状態変化量が所定の閾値Ｔｈ、以下の映像信号が、１画面に同時に表示する映像信号において半数より少なければ、表示位置制御部１１０８に対し、入力映像信号４の映像（映像１２２４）の表示位置を移動すべき旨の、移動命令を通知する。またその際、表示状態変化情報も同時に通知する。表示位置制御部１１０８は、メイン制御部１１０７より入力映像信号４の映像（映像１２２４）の表示位置の移動命令を受け、所定の時間、入力映像信号４の映像（映像１２２４）の表示位置を移動させるようスイッチャ部１０４に通知する。その際、メイン制御部１１０７より入力映像信号４の映像（映像１２２４）の表示位置の移動命令と同時に通知された表示状態変化情報により、入力映像信号４の映像（映像１２２４）以外の表示状態変化をチェックし、最も表示状態変化の大きな入力映像信号の表示位置と、その表示位置を変更するように、スイッチャ部１０４に通知する。例えば入力映像信号１の映像（映像１２２１）が最も表示状態変化が大きい場合、入力映像信号１の映像（映像１２２１）の表示位置と、入力映像信号４の映像（映像１２２４）の表示位置とを変更するように、スイッチャ部１０４に通知する。その結果、表示画面１２０３に表される位置に、各入力映像信号の映像は表示される。表示位置の変更後、所定の時間が経過した場合、スイッチャ部１０４は再度、元の表示位置へ変更する。その結果、表示画面１２０４に表される位置に、各入力映像信号の映像は表示される。
【００７６】
このような本実施の形態３の画面表示制御装置においては、複数の入力映像信号を１画面に表示する場合において入力される映像信号の中に、動きの激しいシーンの映像や、動きのほとんどないシーンの映像が混在している場合でも、各映像表示位置の表示状態変化を検出し、表示状態変化量が大きいもののみを表示する表示、に切替えることにより、視聴状況の変化を極力抑えながら、適切なる焼き付き防止の処理を行うことのできる画面表示制御装置を実現することができる。
【００７７】
（実施の形態４）
以下に、本発明の請求項１５、および請求項１６に記載された発明の実施の形態について、図１３を用いて説明する。
本実施の形態４における画面表示制御装置は、少なくとも２種類以上の入力映像信号を１画面に同時に表示する機能を備えた画面表示制御装置において、従来技術と異なり、１画面における各映像表示位置の表示状態変化を検出する表示状態検出手段と、映像信号を画面表示制御装置へ出力する装置のズーム制御を行なう、あるいは撮像方向制御信号を発行する入力映像機器制御手段とを備え、前記表示状態検出手段において検出した表示状態変化のうち、１画面上の少なくとも１つの映像表示位置の表示状態変化量が、所定の時間Ｔｉ、所定の閾値Ｔｈ、以下となった際、入力映像機器制御手段を用いて、所定の時間Ｔｉ、所定の閾値Ｔｈ、以下となった入力映像信号に対応する映像信号を出力する装置に、ズーム制御信号、あるいは撮像方向制御信号を発行して撮像状態を変更させることにより、視聴状況の変化を極力抑えながら、適切なる焼き付き防止の処理を行うことができるようにしたものである。
【００７８】
図１３は、本実施の形態４による画面表示制御装置のブロック図を示す。
図１３において、１３０１は本実施の形態４による画面表示制御装置、１０２は画面表示制御装置１３０１への入力映像信号端子、１０３は入力された映像信号をアナログ／デジタル変換するＡ／Ｄコンバータ、１０４は入力された複数の映像データを切替えて出力するデータ（映像データ１）と、複数の映像信号を１画面に同時に表示するデータ（映像データ２）の双方を出力するスイッチャ部、１０５はスイッチャ部１０４の入力された複数の映像データを切替えて出力する機能を制御するセレクタ制御部、１０６はスイッチャ部１０４より送られる映像情報ＶＩと、映像データ１より、各入力映像信号の表示状態変化を検出する表示状態検出部、１３０７は画面表示制御装置全体の統括制御を行うメイン制御部、１３０８は映像信号を出力する装置のズーム制御、あるいは撮像方向制御命令を発行する入力機器制御部、１０９はスイッチャ部１０４より出力された映像データ２をデジタル／アナログ変換するＤ／Ａコンバータ、１３１０は画面表示制御装置１３０１から映像信号を出力する装置への出力制御信号端子、１３１１は映像信号を出力する装置への出力制御信号を発行するインターフェイス部、１３１２は入力映像信号端子１０２に接続し、映像信号を画面表示制御装置に出力する撮像装置である。図１３において、入力映像信号端子１０２からメイン制御部１３０７までの構成部は、図１の画面表示制御装置のブロック図におけると同一構成である。よって、入力映像端子１０２より映像信号が入力されてから、メイン制御部１３０７に対して、状態変化量の小さい映像データがいずれの入力映像信号端子１０２に入力された映像信号であるかの情報を通知されるまでの処理の流れ、及び表示状態検出部１０６の処理の流れも、前記実施の形態１と同様であるので、その説明は省略する。
【００７９】
以下に、メイン制御部１３０７に対して、状態変化量の小さい映像データがいずれの入力映像信号端子１０２に入力された映像信号であるかの情報を、通知された後の処理の流れを説明する。
メイン制御部１３０７は、表示状態検出部１０６より状態変化量の小さい映像信号情報が通知された際、入力機器制御部１３０８に対し、状態変化量が所定の閾値Ｔｈ、以下の入力映像信号に対応する映像信号を出力する装置に、ズーム制御信号、あるいは撮像方向制御信号を発行して、撮像状態を変更させるよう通知する。入力機器制御部１３０８は、メイン制御部１３０７より状態変化量が所定の閾値Ｔｈ、以下の入力映像信号に対応する映像信号を出力する装置の撮像状態変更命令が通知された際、出力制御信号発行インターフェイス部１３１１を用いて、所定の時間、ズーム制御信号、あるいは撮像方向制御信号を発行して撮像状態を変化させる。よって、状態変化量が所定の閾値Ｔｈ、以下の入力映像信号の表示状態も、動きのある状態での入力が可能となる。
【００８０】
このような本実施の形態４の画面表示制御装置において、複数の入力映像信号を１画面に表示する場合において入力される映像信号の中に、動きの激しいシーンの映像や、動きのほとんどないシーンの映像が混在している場合でも、各映像表示位置の表示状態変化を検出し、入力映像信号に対応する映像信号を出力する装置に、ズーム制御信号、あるいは撮像方向制御信号を発行して撮像状態を変更させることにより、視聴状況の変化を極力抑えながら、適切なる焼き付き防止の処理を行うことのできる画面表示制御装置を実現することができる。
【００８１】
（実施の形態５）
以下に、本発明の請求項１７、および請求項１８に記載された発明の実施の形態について、図１４を用いて説明する。
本実施の形態５における画面表示制御装置は、少なくとも２種類以上の入力映像信号を１画面に同時に表示する機能を備えた画面表示制御装置において、従来技術と異なり、１画面における各映像表示位置の表示状態変化を検出する表示状態検出手段と、画像データをランダムアクセス可能な記録媒体に記録する記録手段と、前記ランダムアクセス可能な記録媒体に記録されている前記画像データを読み出して再生する再生手段とを備え、前記表示状態検出手段において検出した表示状態変化のうち、１画面上の少なくとも１つの映像表示位置の表示状態変化量が、所定の時間、所定の閾値以下となった際、前記再生手段を用いて前記ランダムアクセス可能な記録媒体内の前記画像データを、所定の時間、所定の閾値以下となった映像表示位置に読み出して再生表示することにより、視聴状況の変化を極力抑えながら、適切なる焼き付き防止の処理を行うことができるようにしたものである。
【００８２】
図１４は本実施の形態５による画面表示制御装置のブロック図を示す。
図１４において、１４０１は画面表示制御装置、１０２は画面表示制御装置１４０１への入力映像信号端子、１０３は入力された映像信号をアナログ／デジタル変換するＡ／Ｄコンバータ、１０４は入力された複数の映像データを切替えて出力するデータ（映像データ１）と、複数の映像信号を１画面に同時に表示するデータ（映像データ２）の双方を出力するスイッチャ部、１０５はスイッチャ部１０４の入力された複数の映像データを切替えて出力する機能を制御するセレクタ制御部、１０６はスイッチャ部１０４より送られる映像情報ＶＩと映像データ１より、各入力映像信号の表示状態変化を検出する表示状態検出部、１４０７は画面表示制御装置全体の統括制御を行うメイン制御部、１４０８は記録媒体１４１０内に記録されている画像データを読み出して再生する再生制御部、１０９はスイッチャ部１０４より出力された映像データ２をデジタル／アナログ変換するＤ／Ａコンバータ、１４１０は表示状態検出部１０６より出力される画像データを記録する記録媒体である。
【００８３】
図１４において、入力映像信号端子１０２からメイン制御部１４０７までの構成部において、状態変化量の小さい映像データがいずれの入力映像信号端子１０２に入力された映像信号であるかの情報、を通知するまでの構成は、図１の画面表示制御装置のブロック図におけると同一構成である。よって、入力映像端子１０２より映像信号が入力されてから、メイン制御部１４０７に対して、状態変化量の小さい映像データがいずれの入力映像信号端子１０２に入力された映像信号であるかの情報、を通知されるまでの処理の流れ、及び表示状態検出部１０６の処理の流れも、前記実施の形態１におけると同様である。
【００８４】
以下に、表示状態検出部１０６より出力される画像データを記録媒体１４１０に記録する処理の流れ、およびメイン制御部１４０７に対して、状態変化量の小さい映像データがいずれの入力映像信号端子１０２に入力された映像信号であるかの情報、を通知された後の処理の流れを説明する。
【００８５】
前記実施の形態１における図２、および図３に表すように、表示状態検出部１０６は、表示状態の変化量を検出するために、画像生成部２０２、あるいは圧縮画像生成部３０２により、画像データ、あるいは圧縮画像データを生成し、作成した画像データの情報にて表示状態の変化量を検出し、その検出結果をメイン制御部１４０７に通知する。また、それと同時に生成した画像データ、あるいは圧縮画像データを、各入力画像信号毎に記録媒体１４１０に出力し記録する。
【００８６】
また、メイン制御部１４０７は、表示状態検出部１０６より状態変化量の小さい映像信号情報が通知された際、再生制御部１４０８に対し、状態変化量が所定の閾値Ｔｈ、以下の入力映像信号に対応する画像データ、あるいは圧縮画像データを再生するよう通知する。
【００８７】
再生制御部１４０８は、メイン制御部１４０７より状態変化量が所定の閾値Ｔｈ、以下の入力映像信号に対応する画像データ、あるいは圧縮画像データの再生命令が通知された際、記録媒体１４１０に記録されている状態変化量が所定の閾値Ｔｈ以下の入力映像信号に対応する画像データ、あるいは圧縮画像データを読み出して高速再生し、スイッチャ部１０４へ出力する。なお、再生制御部１４０８にて記録媒体１４１０より読み出し再生する画像データ、あるいは圧縮画像データは、状態変化量が所定の閾値Ｔｈ、以下の入力映像信号に対応する画像データ、あるいは圧縮画像データに限らず、あらかじめ記録媒体１４１０に記録されている画像データ、あるいは圧縮画像データでもよい。また再生データの出力と同時に、スイッチャ部１０４に対して、状態変化量が所定の閾値Ｔｈ、以下の入力映像信号に変わり、再生制御部１４０８より出力される再生データを状態変化量が所定の閾値Ｔｈ、以下の入力映像信号の表示位置に表示するよう通知し、スイッチャ部１０４は通知された情報、および再生データにより、１画面に同時に表示する映像データ２を生成し、Ｄ／Ａコンバータ１０９に出力する。Ｄ／Ａコンバータ１０９は、入力された映像データ２をデジタル／アナログ変換し外部へ出力する。
【００８８】
このような本実施の形態５の画面表示制御装置においては、複数の入力映像信号を１画面に表示する場合において、入力される映像信号の中に動きの激しいシーンの映像や、動きのほとんどないシーンの映像が混在している場合でも、各映像表示位置の表示状態変化を検出し、再生手段を用いて、ランダムアクセス可能な記録媒体内の前記画像データを、所定の時間、所定の閾値以下となった映像表示位置に読み出して再生表示することにより、視聴状況の変化を極力抑えながら、適切なる焼き付き防止の処理を行うことのできる画面表示制御装置を実現することができる。
【００８９】
（実施の形態６）
以下に、本発明の請求項１９、および請求項２０、請求項２１、請求項２２に記載された発明の実施の形態について、図１５を用いて説明する。
本実施の形態６における画面表示制御装置は、少なくとも２種類以上の入力映像信号を１画面に同時に表示する機能を備えた画面表示制御装置において、従来技術と異なり、１画面における各映像表示位置の表示状態変化を検出する表示状態検出手段と、１画面における各映像表示位置毎の表示状態を制御する表示領域制御手段とを備え、前記表示状態検出手段において検出した表示状態変化のうち、１画面上の少なくとも１つの映像表示位置の表示状態変化量が、所定の時間Ｔｉ、所定の閾値Ｔｈ、以下となった際、上記指定表示領域制御手段を用いて、所定の時間、所定の閾値以下となった映像表示位置の表示状態を変化させることにより、視聴状況の変化を極力抑えながら、適切なる焼き付き防止の処理を行うことのできる画面表示制御装置に関するものである。
【００９０】
図１５は本発明の実施の形態６による画面表示制御装置のブロック図を示す。図１５において、１５０１は、画面表示制御装置であり、本画面表示制御装置１５０１において、メイン制御部１５０７、および表示領域制御部１５０８以外の構成部は、図１の画面表示制御装置のブロック図におけると同一構成である。よって、入力映像端子１０２より映像信号が入力されてから、メイン制御部１５０７に対して、状態変化量の小さい映像データがいずれの入力映像信号端子１０２に入力された映像信号であるかの情報、を通知されるまでの処理の流れ、及び表示状態検出部１０６の処理の流れも、前記実施の形態１におけると同様である。
【００９１】
以下に、メイン制御部１５０７に対して、状態変化量の小さい映像データがいずれの入力映像信号端子１０２に入力された映像信号であるかの情報、を通知された後の処理の流れを説明する。
【００９２】
メイン制御部１５０７は、表示状態検出部１０６より状態変化量の小さい映像信号情報が通知された際、表示領域制御部１５０８に対し、状態変化量の小さい映像信号情報に対応する映像データの表示位置の領域の表示状態を変更させるべき旨の表示状態変更命令を通知する。表示領域制御部１５０８は、メイン制御部１５０７より状態変化量の小さい映像信号情報に対応する映像データの表示位置の領域の表示状態変更命令が通知された際、所定の時間、状態変化量の小さい映像信号情報に対応する映像データの表示位置の領域の表示輝度値を変化させるようスイッチャ部１０４に通知する。なお、表示領域制御部１５０８は、状態変化量の小さい映像信号情報に対応する映像データの表示位置の領域の表示を停止するよう、スイッチャ部１５０４に通知してもよい。スイッチャ部１０４は通知された表示領域の輝度情報、あるいは表示情報で、１画面に同時に表示する映像データ２を生成し、Ｄ／Ａコンバータ１０９に出力する。Ｄ／Ａコンバータ１０９は、入力された映像データ２をデジタル／アナログ変換し外部へ出力する。
【００９３】
このような本実施の形態６の画面表示制御装置においては、複数の入力映像信号を１画面に表示する場合において入力される映像信号の中に、動きの激しいシーンの映像や、動きのほとんどないシーンの映像が混在している場合でも、各映像表示位置の表示状態変化を検出し、指定表示領域制御手段を用いて、所定の時間、所定の閾値以下となった映像表示位置の表示状態を変化させることにより、視聴状況の変化を極力抑えながら、適切なる焼き付き防止の処理を行うことのできる画面表示制御装置を実現することができる。
【００９４】
【発明の効果】
以上のように、本発明の請求項１、および請求項２、請求項３、請求項４、請求項５、請求項６に記載の発明によれば、少なくとも２種類以上の入力映像信号を一画面上に同時に表示させる画面表示制御装置において、上記一画面上の各表示位置の映像信号の表示状態変化を検出する表示状態検出手段と、前記表示状態検出手段により検出した各表示位置の映像信号の表示状態変化のうち、少なくとも１つの映像信号の表示状態変化量が、所定の時間、所定の閾値以下となったとき、当該表示位置の映像信号を含む２以上の各表示位置の表示映像を移動させて表示させる映像表示位置制御手段とを備えたことにより、前記従来の技術における複数の入力映像信号を１画面に表示する場合においての問題を回避し、複数の入力映像信号を１画面に表示する場合において入力される映像信号の中に、動きの激しいシーンの映像や、動きのほとんどないシーンの映像が混在している場合でも、視聴状況の変化を極力抑えながら、適切なる焼き付き防止の処理を行うことができるという効果が得られる。
【００９５】
また、本発明の請求項７、および請求項８、請求項９、請求項１０、請求項１１、請求項１２に記載の発明によれば、少なくとも２種類以上の入力映像信号を一画面上に同時に表示させる画面表示制御装置において、上記一画面上の各表示位置の映像信号の表示状態変化を検出する表示状態検出手段と、前記表示状態検出手段により検出した各映像信号の表示状態変化のうち、少なくとも１つの映像信号の表示状態変化量が、所定の時間、所定の閾値以下となったとき、表示状態変化量が閾値以上である映像信号のみを表示する表示、に切替える表示制御手段とを備えたことにより、前記従来の技術における複数の入力映像信号を１画面に表示する場合においての問題を回避し、複数の入力映像信号を１画面に表示する場合において入力される映像信号の中に、動きの激しいシーンの映像や、動きのほとんどないシーンの映像が混在している場合でも、視聴状況の変化を極力抑えながら、適切なる焼き付き防止の処理を行い、なおかつ焼き付き防止の処理時には、ユーザーが注目すべき映像を適切に表示することができるという効果が得られる。
【００９６】
また、本発明の請求項１３、および請求項１４に記載の発明によれば、少なくとも２種類以上の入力映像信号を一画面上に同時に表示させる画面表示制御装置において、上記一画面上の各表示位置の映像信号の表示状態変化を検出する表示状態検出手段と、前記１画面上の各映像表示位置の表示映像を移動させて表示させる映像表示位置制御手段と、表示状態変化量が閾値以上である映像信号のみを表示する表示、に切替える表示制御手段とを備え、前記表示状態検出手段により検出した各映像信号の表示状態変化のうち、少なくとも１つの映像信号の表示状態変化量が、所定の時間、所定の閾値以下となったとき、表示状態検出手段により検出した各映像信号の表示状態変化量が、所定の時間、所定の閾値以下となった映像信号が、１画面に同時に表示する映像信号のうち半数より少ない場合、前記映像表示位置制御手段を用いて、映像表示位置の移動を行い、１画面に同時に表示する映像信号のうち半数以上の場合、前記表示制御手段を用いて、映像信号の表示切替を行うことにより、前記従来の技術における複数の入力映像信号を１画面に表示する場合においての問題を回避し、複数の入力映像信号を１画面に表示する場合において入力される映像信号の中に、動きの激しいシーンの映像や、動きのほとんどないシーンの映像が混在している場合でも、視聴状況の変化を極力抑えながら、適切なる焼き付き防止の処理を行い、なおかつ現在の動きの激しいシーンの映像や、動きのほとんどないシーンの映像の表示比率に応じて、焼き付き防止の処理時には、適切な表示状態での表示ができるという効果が得られる。
【００９７】
また、本発明の請求項１５、および請求項１６に記載の発明によれば、少なくとも２種類以上の入力映像信号を一画面上に同時に表示させる画面表示制御装置において、前記各入力映像信号毎に、上記一画面上の各表示位置の映像信号の表示状態変化を検出する表示状態検出手段と、前記各入力映像信号を出力する撮像部のズーム制御を行うズーム制御手段と、を備え、前記表示状態検出手段により検出した各映像信号の表示状態変化のうち、少なくとも１つの映像信号の表示状態変化量が、所定の時間、所定の閾値以下となったとき、当該入力映像信号に対応する前記ズーム制御手段により、該対応する撮像部における撮像画面のズームイン、ズームアウト制御を行なうことにより、前記従来の技術における複数の入力映像信号を１画面に表示する場合においての問題を回避し、複数の入力映像信号を１画面に表示する場合において入力される映像信号の中に、動きの激しいシーンの映像や、動きのほとんどないシーンの映像が混在している場合でも、所定の表示領域に表示する入力映像信号を切替えることなく、視聴状況の変化を極力抑えながら、適切なる焼き付き防止の処理を行うことができるという効果が得られる。
【００９８】
また、本発明の請求項１７、および請求項１８に記載の発明によれば、少なくとも２種類以上の入力映像信号を一画面上に同時に表示させる画面表示制御装置において、上記一画面上の各表示位置の映像信号の表示状態変化を検出する表示状態検出手段と、画像データをランダムアクセス可能な記録媒体に記録する記録手段と、前記ランダムアクセス可能な記録媒体に記録されている前記画像データを読み出して再生する再生手段と、を備え、前記表示状態検出手段により検出した各映像信号の表示状態変化のうち、少なくとも１つの映像信号の表示状態変化量が、所定の時間、所定の閾値以下となったとき、前記再生手段により、前記ランダムアクセス可能な記録媒体内の所定の時間、所定の閾値以下となった映像表示位置に、前記画像データを読み出して再生表示することにより、前記従来の技術における複数の入力映像信号を１画面に表示する場合においての問題を回避し、複数の入力映像信号を１画面に表示する場合において入力される映像信号の中に、動きの激しいシーンの映像や、動きのほとんどないシーンの映像が混在している場合でも、視聴状況の変化を極力抑えながら、適切なる焼き付き防止の処理を行い、なおかつ焼き付き防止の処理時には、これまで記録してきた映像を表示することで、注目すべき映像が過去に記録されていないかユーザーに通知することができるという効果が得られる。
【００９９】
また、本発明の請求項１９、および請求項２０、請求項２１、請求項２２に記載の発明によれば、少なくとも２種類以上の入力映像信号を一画面上に同時に表示させる画面表示制御装置において、上記一画面上の各表示位置の、映像信号の表示状態変化を検出する表示状態検出手段と、上記一画面上の各映像表示位置のうちの、各指定表示領域の表示状態を制御する指定表示領域制御手段と、を備え、前記表示状態検出手段により検出した各映像表示位置の表示状態変化のうちの、少なくとも１つの映像信号の表示状態変化量が、所定の時間、所定の閾値以下となったとき、前記表示領域制御手段により、当該映像信号の表示状態を変化させる　ことにより、前記従来の技術における複数の入力映像信号を１画面に表示する場合においての問題を回避し、複数の入力映像信号を１画面に表示する場合において入力される映像信号の中に、動きの激しいシーンの映像や、動きのほとんどないシーンの映像が混在している場合でも、視聴状況の変化を極力抑えながら、適切なる焼き付き防止の処理を行うことができるという効果が得られる。
【図面の簡単な説明】
【図１】本発明の実施の形態１による画面表示制御装置のブロック図。
【図２】本発明の実施の形態１における、輝度状態変化検出手段を備えた表示状態検出手段のブロック図。
【図３】本発明の実施の形態１における、圧縮画像データ変化量検出手段を備えた表示状態検出手段のブロック図。
【図４】本発明の実施の形態１における、輝度状態変化検出部における輝度値の変化状態を検出する処理を示すフローチャート図。
【図５】本発明の実施の形態１における、圧縮画像データ量変化検出部における圧縮画像データ量の変化状態を検出する処理を示すフローチャート図。
【図６】本発明の実施の形態１における、表示位置の切替え処理の流れを示す図。
【図７】本発明の実施の形態２による画面表示制御装置のブロック図。
【図８】本発明の実施の形態２における、変化量の最も大きい映像信号のみを表示する表示、への切替え処理の流れを示すフローチャート図。
【図９】本発明の実施の形態２における、注目映像信号のみの表示への切替え処理の流れを示すフローチャート図。
【図１０】本発明の実施の形態２における、変化量の大きい映像信号のみの表示、への切替え処理の流れを示すフローチャート図。
【図１１】本発明の実施の形態３による画面表示制御装置のブロック図。
【図１２】本発明の実施の形態３における、表示位置の切替え、あるいは変化量の大きい映像信号のみを表示するの表示、への切替え処理の流れを示すフローチャート図。
【図１３】本発明の実施の形態４による画面表示制御装置のブロック図。
【図１４】本発明の実施の形態５による画面表示制御装置のブロック図。
【図１５】本発明の実施の形態６による画面表示制御装置のブロック図。
【図１６】従来の焼き付き低減ディスプレイ装置を示す図。
【符号の説明】
１０１、７０１、１１０１、１３０１、１４０１、１５０１：画面表示制御装置１０２：入力映像端子
１０３：Ａ／Ｄコンバータ
１０４：スイッチャ部
１０５：セレクタ制御部
１０６：表示状態検出部
１０７、２０５、３０５、７０７、１１０７、１３０７、１４０７、１５０７：メイン制御部
１０８、１１０８：表示位置制御部
１０９：Ｄ／Ａコンバータ
２０２：画像生成部
２０３：画像データ格納部
２０４：輝度状態変化検出部
３０２：圧縮画像生成部
３０３：圧縮画像データ格納部
３０４：圧縮画像データ量変化検出部
６０１、６０２、６０３、６０４、８０１、８０２、８０３、８０４、９０１、９０２、９０３、９０４、１００１、１００２、１００３、１００４、１２０１、１２０２、１２０３、１２０４、１２０５：表示画面
６１１、６２１、６３１、６４１、８１１、８２１、８４１、９１１、９２１、９４１、１０１１、１０２１、１０４１、１２１１、１２２１、１２３１、１２４１：表示位置１に表示している映像
６１２、６２２、６３２、６４２、８１２、８２２、８４２、９１２、９２２、９４２、１０１２、１０２２、１０４２、１２１２、１２２２、１２３２、１２４２：表示位置２に表示している映像
６１３、６２３、６３３、６４３、８１３、８２３、８４３、９１３、９２３、９４３、１０１３、１０２３、１０４３、１２１３、１２２３、１２３３、１２４３：表示位置３に表示している映像
６１４、６２４、６３４、６４４、８１４、８２４、８４４、９１４、９２４、９４４、１０１４、１０２４、１０４４、１２１４、１２２４、１２３４、１２４４：表示位置４に表示している映像
７０８、１１１０：表示制御部
７１０：ユーザーインターフェイス部
８３１、１２３５：最も変化量が大きい映像信号のみの映像
９３１：ユーザーより通知された注目映像信号のみの映像
１０３１：変化量が閾値以上で最も変化量が大きい映像信号の映像
１０３２、１０３３：変化量が閾値以上でその他の映像信号の映像
１３０８：入力機器制御部
１３１０：出力制御信号端子
１３１１：インターフェイス部
１３１２：撮像装置
１４０８：再生制御部
１４１０：記録媒体
１５０８：表示領域制御部
１６０１：センサ
１６０２：輝度信号制御部
１６０３：時間長測定部
１６０４：表示部
１６０５：状態検出部
１６０６：端子
【図１】
2004126378.tif 000003
【図２】
2004126378.tif 000004
【図３】
2004126378.tif 000005
【図４】
2004126378.tif 000006
【図５】
2004126378.tif 000007
【図６】
2004126378.tif 000008
【図７】
2004126378.tif 000009
【図８】
2004126378.tif 000010
【図９】
2004126378.tif 000011
【図１０】
2004126378.tif 000012
【図１１】
2004126378.tif 000013
【図１２】
2004126378.tif 000014
【図１３】
2004126378.tif 000015
【図１４】
2004126378.tif 000016
【図１５】
2004126378.tif 000017
【図１６】
2004126378.tif 000018